(57)【要約】【課題】照明可能でありながらより一層コンパクトである電動工具を提供する。【解決手段】電動工具の一例であるインパクトドライバ１は、モータと、モータが配置される左モータハウジング１８及び右モータハウジング１９と、モータ１１の動力をアンビルに伝達する遊星歯車機構ないしスピンドル１３と、遊星歯車機構ないしスピンドル１３が配置されるハンマケース２１と、光を照射するライト１３４，１３４を備えており、ライト１３４，１３４は、左モータハウジング１８及び右モータハウジング１９に設けられており、ハンマケース２１の上下方向の幅Ｗ内に配置されている。【選択図】図５
2017209760.tif 000002
【特許請求の範囲】
【請求項１】
モータと、
前記モータが配置されるモータハウジングと、
前記モータの動力を出力軸に伝達する動力伝達機構と、
前記動力伝達機構が配置されるケースと、
光を照射するライト
を備えており、
前記ライトは、前記モータハウジングに設けられており、前記ケースの上下方向の幅内に配置されている
ことを特徴とする電動工具。
【請求項２】
前記ライトは、前記ケースの左右方向の幅内に配置されている
ことを特徴とする請求項１に記載の電動工具。
【請求項３】
前記ライトは、前記ケースの外側に配置されている
ことを特徴とする請求項１又は請求項２に記載の電動工具。
【請求項４】
前記ライトは、基板に搭載されており、
前記基板は、円弧状の辺を有しており、その円弧状の辺が前記ケースに沿うように配置されている
ことを特徴とする請求項１ないしは請求項３の何れかに記載の電動工具。
【請求項５】
前記ライトは、前記ケースの左下及び右下の少なくとも一方に配置されている
ことを特徴とする請求項１ないしは請求項４の何れかに記載の電動工具。
【請求項６】
モータと、
前記モータのオンオフを切替えるスイッチと、
光を照射するライト
を備えており、
前記ライトは、前記スイッチの上下方向の幅内に配置されている
ことを特徴とする電動工具。
【請求項７】
前記ライトは、前記スイッチの左右方向の幅内に配置されている
ことを特徴とする請求項６に記載の電動工具。
【請求項８】
前記ライトは、前後方向において前記スイッチとオーバーラップしている
ことを特徴とする請求項６又は請求項７に記載の電動工具。
【請求項９】
モータと、
前記モータのオンオフを切替えるスイッチと、
前記スイッチに隣接して配置されるスイッチ隣接部と、
光を照射するライト
を備えており、
前記ライトは、前記スイッチ隣接部に配置されている
ことを特徴とする電動工具。
【請求項１０】
受光強度に応じた信号を発信する光センサと、
光を照射するライトと、
前記光センサから受信した前記信号に基づいて、前記ライトの明るさを変更するライト明度制御部
を備えていることを特徴とする電動工具。
【請求項１１】
モータと、
前記モータのオンオフを切替えるスイッチと、
前記スイッチのオンへの切替えに基づいて光を照射するライトと、
前記スイッチがオフとなった後特定時間に亘り前記ライトの点灯を維持するライト時間制御部と、
前記特定時間の変更に係る入力を受け付ける入力部
を備えていることを特徴とする電動工具。
【請求項１２】
前記ライトは、ＬＥＤである
ことを特徴とする請求項１ないしは請求項１１の何れかに記載の電動工具。
【発明の詳細な説明】
【技術分野】
【０００１】
本発明は、インパクトドライバ等の電動工具に関する。
【背景技術】
【０００２】
下記特許文献１に示されるように、前方を照射するライトユニットを備えたインパクトドライバが知られている。ライトユニットは、トリガーとハンマーケースの間のハウジング延設部に配置されており、前向きに配設されるＬＥＤを有している。ＬＥＤは、トリガーの押し込み操作によりモータが駆動している間、点灯する。
【先行技術文献】
【特許文献】
【０００３】
【特許文献１】特開２０１３−１１９１４９号公報
【発明の概要】
【発明が解決しようとする課題】
【０００４】
特許文献１のインパクトドライバでは、ライトユニットがトリガーとハンマーケースの間に配置されるため、その分全高（上下方向の寸法）が大きくなる。
又、ＬＥＤがモータ駆動中に常時点灯するため、照明不要の明るい場所でも点灯することとなり、点灯のための消費電力が無駄になる。ここで、照明不要の場所ではＬＥＤの点灯をオフにするスイッチが設けられるようにすることが考えられる。しかし、この場合、部材の追加となり構成が複雑になるし、そのスイッチの操作もその都度必要となって煩わしい。
更に、ＬＥＤを点灯させるとモータが駆動することとなり、照明機能のみ利用したい場合であっても、インパクトドライバが作動して煩わしく、モータ駆動分の消費電力が無駄になる。ここで、ＬＥＤがモータ停止後一定時間残照するようにＬＥＤを制御することが考えられる。しかし、この場合、決まった時間ないし決まった明るさでしか残照せず、より短く若しくはより長く残照させ、又はより暗く若しくはより明るく残照させることはできない。よって、場合により、所望の照明が得られないこととなる。
本発明は、照明可能でありながらより一層コンパクトである電動工具を提供することを主な目的とするものである。
又、消費電力が低減され、使い勝手の良い電動工具を提供することを他の主な目的とするものである。
【課題を解決するための手段】
【０００５】
上記目的を達成するために、請求項１に記載の発明は、モータと、前記モータが配置されるモータハウジングと、前記モータの動力を出力軸に伝達する動力伝達機構と、前記動力伝達機構が配置されるケースと、光を照射するライトを備えており、前記ライトは、前記モータハウジングに設けられており、前記ケースの上下方向の幅内に配置されていることを特徴とするものである。
請求項２に記載の発明は、上記発明において、前記ライトは、前記ケースの左右方向の幅内に配置されていることを特徴とするものである。
請求項３に記載の発明は、上記発明において、前記ライトは、前記ケースの外側に配置されていることを特徴とするものである。
請求項４に記載の発明は、上記発明において、前記ライトは、基板に搭載されており、  前記基板は、円弧状の辺を有しており、その円弧状の辺が前記ケースに沿うように配置されていることを特徴とするものである。
請求項５に記載の発明は、上記発明において、前記ライトは、前記ケースの左下及び右下の少なくとも一方に配置されていることを特徴とするものである。
上記目的を達成するために、請求項６に記載の発明は、モータと、前記モータのオンオフを切替えるスイッチと、光を照射するライトを備えており、前記ライトは、前記スイッチの上下方向の幅内に配置されていることを特徴とするものである。
請求項７に記載の発明は、上記発明において、前記ライトは、前記スイッチの左右方向の幅内に配置されていることを特徴とするものである。
請求項８に記載の発明は、上記発明において、前記ライトは、前後方向において前記スイッチとオーバーラップしていることを特徴とするものである。
上記目的を達成するために、請求項９に記載の発明は、モータと、前記モータのオンオフを切替えるスイッチと、前記スイッチに隣接して配置されるスイッチ隣接部と、光を照射するライトを備えており、前記ライトは、前記スイッチ隣接部に配置されていることを特徴とするものである。
上記目的を達成するために、請求項１０に記載の発明は、受光強度に応じた信号を発信する光センサと、光を照射するライトと、前記光センサから受信した前記信号に基づいて、前記ライトの明るさを変更するライト明度制御部を備えていることを特徴とするものである。
請求項１１に記載の発明は、上記発明において、モータと、前記モータのオンオフを切替えるスイッチと、前記スイッチのオンへの切替えに基づいて光を照射するライトと、前記スイッチがオフとなった後特定時間に亘り前記ライトの点灯を維持するライト時間制御部と、前記特定時間の変更に係る入力を受け付ける入力部を備えていることを特徴とするものである。
請求項１２に記載の発明は、上記発明において、前記ライトは、ＬＥＤであることを特徴とするものである。
【発明の効果】
【０００６】
本発明によれば、照明可能でありながらより一層コンパクトである電動工具を提供することができる、という効果を奏する。
【図面の簡単な説明】
【０００７】
【図１】本発明の第１形態に係るインパクトドライバの右側面図である。
【図２】図１の前面図である。
【図３】図１のインパクトドライバの中央縦断面図である。
【図４】図３の上部拡大図である。
【図５】図１のＡ−Ａ断面図である。
【図６】図１のインパクトドライバにおけるライトユニットの（ａ）前面図，（ｂ）側面図，（ｃ）下面図である。
【図７】図６のライトユニットの斜視図である。
【図８】図１のインパクトドライバの操作に係る制御機構のブロック図である。
【図９】本発明の第２形態に係るインパクトドライバの右側面図である。
【図１０】図９の前面図である。
【図１１】図９の中央縦断面上部拡大図である。
【図１２】本発明の第３形態に係るインパクトドライバの前面図である。
【図１３】図１２の中央縦断面上部拡大図である。
【図１４】図１２のインパクトドライバにおけるトリガ付近の中央縦断面拡大図である。
【図１５】本発明の第４形態に係るインパクトドライバの前面図である。
【図１６】図１５の中央縦断面上部拡大図である。
【図１７】図１５のインパクトドライバにおける本体部前下部付近の中央縦断面拡大図である。
【図１８】本発明の第４形態に係るインパクトドライバの前面図である。
【図１９】図１８の中央縦断面上部拡大図である。
【図２０】図１８の本体部中央横断面図である。
【図２１】図１８の上部拡大図である。
【発明を実施するための形態】
【０００８】
以下、本発明の実施の形態やその変更例が、適宜図面に基づいて説明される。
当該形態や変更例における前後上下左右は、説明の便宜上定めたものであり、作業の状況や移動する部材の状態等により変化することがある。
尚、本発明は、下記の形態や変更例に限定されない。
【０００９】
［第１形態］
図１は、電動工具の一例であって回転打撃工具の一例である、本発明の第１形態に係るインパクトドライバ１の右側面図であり、図２はインパクトドライバ１の前面図であり、図３はインパクトドライバ１の中央縦断面図であり、図４は図３の上部拡大図であり、図５は図３のＡ−Ａ断面図（一部）である。
インパクトドライバ１は、その外郭を形成するハウジング２を有している。
インパクトドライバ１は、中心軸を前後方向とする筒状の本体部４と、本体部４の下部から下方へ突出するように形成されたグリップ部６を有する。尚、図１及び図３において右が前となる。
グリップ部６は、使用者が把持する部分であり、グリップ部６の基端部には、使用者により指先で引く操作が可能であるトリガ８が設けられている。トリガ８は、スイッチ本体部９から突出している。
【００１０】
インパクトドライバ１の本体部４には、後側から順に、ファン１０、モータ１１、減速機構である遊星歯車機構１２、スピンドル１３、弾性部材であるコイル状のスプリング１４、ハンマ１６、及びアンビル１７が、同軸に入れられ（配置され）ている。尚、各種のハウジングやケースにおける各種の部材の納入（配置）は、部材がハウジングやケースに完全に入る場合の他、部材の一部がハウジングやケースに入っており、残りの一部がハウジングやケースから突出あるいは露出している場合も適宜含んでいるものとする。
モータ１１は、インパクトドライバ１の駆動源であり、その回転は、スピンドル１３に伝達される。そして、スピンドル１３の回転力はハンマ１６等（打撃機構部）によって回転打撃力（回転力及び打撃力の少なくとも一方）に適宜変換され、スピンドル１３とハンマ１６の間に渡されるスプリング１４の緩衝を適宜受けつつ、出力軸としてのアンビル１７に伝えられる。アンビル１７は、回転打撃力を受けて軸周りに回転可能な部材であり、図示しないビット（先端工具）を受け入れる。当該ビットとして、ドライバを用いることができ、インパクトドライバ１は、ネジ締めに用いることができる。
【００１１】
ハウジング２は、半割状の左モータハウジング１８及び右モータハウジング１９と、リヤカバー２０と、ケースとしての筒状のハンマケース２１を有している。左モータハウジング１８は、複数のネジボス部２２，２２・・を有しており、右モータハウジング１９は、ネジボス部２２，２２・・に対応するネジ孔を有している。左モータハウジング１８及び右モータハウジング１９は、ネジ孔とネジボス部２２，２２・・に入るネジ２３，２３・・により、合わせられている。
左モータハウジング１８と右モータハウジング１９は、本体部４後部（後端部を除く）からグリップ部６に亘っている。左モータハウジング１８と右モータハウジング１９における、本体部４の後端部に隣接する部分は、開口部となっている。
リヤカバー２０（本体部４外郭部分）の後部の両側には、上下に並ぶ排気口２４，２４・・が設けられており、排気口２４，２４・・の前方であって、左モータハウジング１８と右モータハウジング１９の後部（本体部４外郭部分）には、吸気口２５，２５・・が設けられている。
リヤカバー２０は、上下左右に広がっており、左モータハウジング１８と右モータハウジング１９における開口部を覆う（本体部４の後端部に配置される）状態で、図示されないネジにより止められている。
ハンマケース２１は、前部が後部に対して縮径した釣鐘状の部材であり、本体部４の前部の外郭を形成している。ハンマケース２１の後部は、本体部４における左モータハウジング１８と右モータハウジング１９の前端部に形成された開口部内に入っている。
ハンマケース２１の中央部外側には、筒状のカバー２６が配置されており、ハンマケース２１の前端部外側には、弾性体で形成されたリング状のバンパ２７が配置されている。
【００１２】
本体部４とグリップ部６の境界領域であって、トリガ８の後方には、モータ１１の回転方向を切替えるスイッチである正逆切替レバー２８が、ハウジング２を左右に貫通するように設けられている。
【００１３】
グリップ部６の下端部は、その上部に対して外方へ広がるバッテリ取り付け部２９となっており、バッテリ取り付け部２９の下方には、バッテリレバー３０により着脱可能であるバッテリ３１が保持されている。バッテリ３１は、１４．４Ｖ（ボルト）のリチウムイオンバッテリであって、樹脂製のバッテリケース内に、図示しないセルを８個内包するものである。セルは、軸方向に長い円柱状であり、左右方向を向いている。
バッテリ取り付け部２９の前上部（グリップ部６の広がった下部の前側上面部）には、操作パネル３２が設けられている。
バッテリ取り付け部２９の内部には、回路基板を含むコントローラ３３が入れられている。コントローラ３３には、モータ１１の変速を行うためのスイッチング素子が搭載されている。
バッテリ３１は、上面にバッテリ端子部を有しており、前上部に隆起部３４を有している。バッテリ３１は、バッテリ取り付け部２９の前から後方へスライドさせることで装着される。装着時、隆起部３４の後部がバッテリ取り付け部２９の前部に当たり、バッテリ端子部がバッテリ取り付け部２９に組み込まれたターミナル３５に接触する（図３）。又、装着時、図示しない弾性部材により上方に付勢され、バッテリ３１の他の部分の上面から突出したバッテリ爪３６が、バッテリ取り付け部２９下前部に設けられた上方に窪むバッテリ取り付け凹部３７に入る。一方、バッテリ３１を外す場合、バッテリ爪３６の弾性部材とつながるバッテリボタン３０を操作し、バッテリ爪３６をバッテリ取り付け凹部３７から外れた状態としながら、バッテリ３１を前方にスライドさせる。
ハウジング２の下端部であって、バッテリ取り付け部２９の上部の左右には、フック３８を取り付け可能であるフック用溝３９が設けられている。一方のフック用溝は、左モータハウジング１８において形成されており（図示されない）、他方のフック用溝３９は、右モータハウジング１９において形成されている（図１参照）。フック３８は、ネジ４０により取り付けられている。
【００１４】
モータ１１は、ブラシレスモータ（ブラシレスＤＣモータ）であり、左モータハウジング１８及び右モータハウジング１９（本体部４後部）内に入れられている。モータ１１は、左モータハウジング１８及び右モータハウジング１９内において内方に立てられたリブ内に配置される円筒状のステータ４１と、ステータ４１の内側に配置されるロータ４２を備えている（インナーロータ）。
ステータ４１は、軸方向が前後方向であり内方に突出する複数（６個）の内歯を有する円筒状の固定子鉄心４４と、固定子鉄心４４の前後に設けられる前絶縁部材４６及び後絶縁部材４８と、前絶縁部材４６及び後絶縁部材４８を介して固定子鉄心４４の内歯にそれぞれ巻かれる複数の駆動コイル５０，５０・・とを有する。又、後絶縁部材４８には、センサ基板５２がネジ５３，５３・・で固定されている。センサ基板５２の前面には、３個の図示されない磁気センサが固定されている。更に、後絶縁部材４８の後面周縁には、各駆動コイル５０とセンサ基板５２を電気的に接続する接点としての図示されないコイル接続部が、合計６個設けられている。それらコイル接続部には、図示されないリード線の一端が接続されており、リード線の他端は、コントローラ３３に接続されている。
ロータ４２は、回転軸（ロータ軸）であるモータ軸５６と、モータ軸５６の周囲に配置された円筒状の回転子鉄心５８と、回転子鉄心５８の外側に配置されており、筒状で周方向に極性を交互に変えた永久磁石６０，６０・・と、これらの後側（ステータ４１のセンサ基板５２側）において放射状に配置された複数の図示されないセンサ用永久磁石とを有する。回転子鉄心５８と、各永久磁石６０と、センサ用永久磁石は、ロータアッセンブリを構成する。ロータアッセンブリにおける永久磁石６０，６０・・及びセンサ用永久磁石は、一体で構成することにより、４個の板状の永久磁石にすることも可能である。
モータ軸５６における回転子鉄心５８の前側には、筒状で樹脂製のスリーブ６２が設けられている。スリーブ６２の前方に、モータ軸５６の前部の周りに配置されるモータ前軸受６４が設けられている。モータ前軸受６４は、ベアリングリテーナ６５の後部の開口部内において取り付けられている。モータ前軸受６４の前側であって、モータ軸５６の先端部には、ピニオンギヤ６６が、モータ軸５６と一体に固定されている。他方、モータ軸５６の後端部は、モータ後軸受６７によって回転可能に支持されている。モータ後軸受６７は、リヤカバー２０の内側中央部において保持されている。
【００１５】
モータ軸５６の後部周辺には、ファン１０が配置されている。ファン１０は、複数枚の羽根を有する遠心ファンであり、ファンスリーブ６８を介してモータ軸５６に一体に固定されている。
ファン１０の外方には、排気口２４，２４・・が位置している。
尚、ファン１０やその一部は、モータ１１の構成要素とすることも可能である。
【００１６】
遊星歯車機構１２は、内歯を有するリング状の内歯ギヤ７０と、内歯ギヤ７０に噛み合う外歯を有する複数の遊星歯車７２，７２・・と、各遊星歯車７２の軸である各ピン７４を含む。
内歯ギヤ７０は、ハンマケース２１の後端部の開口部内において回転不能に取り付けられている。
各遊星歯車７２は、内歯ギヤ７０の内方に配置される。
各ピン７４は、前後方向を軸方向とする円柱状である。
各遊星歯車７２は、対応するピン７４の周りで回転可能である状態で、ピン７４に周設される。
【００１７】
スピンドル１３は、その後部において、中空の円盤状部８０を備えている。円盤状部８０は、スピンドル１３の他の部分に対して、外方（上下左右）に突出しており、径が他の部分より大きくなっている。円盤状部８０の前面には、ワッシャ８１を介して、スプリング１４のリング状に形成された後端が当たっている。又、スピンドル１３の後端部は、円盤状部８０の後面から後方に円筒状に突出した状態となっており、その外側には、ベアリングリテーナ６５の中央部内に取り付けられたスピンドル軸受８４が配置されていて、スピンドル１３を回転可能に支えている。
ベアリングリテーナ６５は、後部の開口部と、これより径の大きい中央部の開口部と、更に径の大きい前部の開口部を有しており、これら開口部はつながっている。ベアリングリテーナ６５の中央部と後部の間には、左モータハウジング１８及び右モータハウジング１９の内部に形成されたハウジングリブ８６が入っている。又、ベアリングリテーナ６５は、中央部と前部の間において、外方へ突出するリテーナリブ８８を備えており、リテーナリブ８８は、ハンマケース２１の後端部とハウジングリブ８６の前面とで挟まれている。更に、ベアリングリテーナ６５の前部は、ハンマケース２１の後端部内側と内歯ギヤ７０の外面とで挟まれている。
スピンドル軸受８４の内径は、ベアリングリテーナ６５により保持されるモータ前軸受６４の内径より大きくなっている。又、スピンドル軸受８４の後面は、モータ前軸受６４の前面より前にあり、スピンドル軸受８４とモータ前軸受６４は前後方向において互いにずれた状態で配置されている。よって、スピンドル１３からスピンドル軸受８４に伝わった力が、モータ前軸受６４に伝わり難くなり、モータ前軸受６４やモータ１１が長寿命になる。
スピンドル１３の内部には、内孔９０が開けられている。内孔９０は、スピンドル１３を貫いており、前部は細く、後部は前部より太くなっている。内孔９０の後部は、円盤状部８０の中空部とつながっている。内孔９０の後部には、モータ軸５６の先端部やピニオンギヤ６６が入っており、円盤状部８０の内部には、ピン７４，７４・・が固定されていて遊星歯車７２，７２・・が配置されており、ピニオンギヤ６６と遊星歯車７２，７２・・が噛み合っている。
【００１８】
ハンマ１６は、後面から前方へ筒状に窪む窪み９１を有しており、窪み９１には、スプリング１４の前部が入っていて、窪み９１の底（前端）には、複数のスプリングボール９２，９２・・及びハンマワッシャ９４を介して、スプリング１４のリング状に形成された前端が配置されている。
尚、ハンマ１６とスピンドル１３の前部との間には、打撃時にハンマ１６を主に前後方向に案内するハンマボール９６，９６が介装されている。
【００１９】
ハンマ１６前側のアンビル１７は、前部の周囲において、チャック１０２を備える。
アンビル１７は、放射方向にそれぞれ延びる一対の延設部１０４，１０４を、後部に有している。
延設部１０４，１０４の前側には、アンビル１７を軸周りに回転自在に支持するアンビル軸受１０６が設けられている。アンビル軸受１０６は、ハンマケース２１の前端部内壁に取り付けられる。
又、アンビル１７の後端部中央であって、延設部１０４，１０４の内部には、前方へ開けられた後穴が設けられており、その後穴には、スピンドル１３の前端部に形成された凸部１０８が入っている。スピンドル１３の回転は、ハンマ１６を介してアンビル１７に伝達され、よってハンマ１６、スピンドル１３ないし遊星歯車機構１２は、アンビル１７に動力を伝達する動力伝達機構を構成する。動力伝達機構は、ハンマケース２１内に入れられている。動力伝達機構における主な動力伝達方向は、前後方向を軸とした回転方向である。
アンビル１７の内部には、アンビル１７の前端から後方へ向かうアンビル穴１１０が開けられている。アンビル穴１１０は、図示しないビットを受け入れる。
【００２０】
チャック１０２は、アンビル穴１１０に受け入れたビットを固定する。
チャック１０２は、チャックスリーブ１１２と、チャックスプリング１１４と、チャックワッシャ１１６と、チャックスプリング止め１１７と、複数のチャックボール１１８，１１８を有する。
チャックスリーブ１１２は、円筒状の部材であり、アンビル１７の前部外径より大きい内径を有する、前端から中央部に亘り開けられたチャック前穴部１２０と、アンビル１７の前部外径と同等の内径を有し、チャック前穴部１２０に対して内方に突出するチャックボール押さえ部１２２を有する。
チャックスプリング１１４は、チャック前穴部１２０に入れられている。
チャックワッシャ１１６は、チャック前穴部１２０前端部内であってチャックスプリング１１４の前側に配置されている。
チャックスプリング止め１１７は、Ｃ字状の部材であり、チャックワッシャ１１６の前側に配置された状態で、アンビル１７の先端部外面に固定されている。チャックスプリング止め１１７は、チャックワッシャ１１６を介して、チャックスプリング１１４をチャック前穴部１２０内に収めている。
チャックボール１１８，１１８は、アンビル穴１１０の径方向の線上で並ぶように配置され、アンビル穴１１０内に露出していると共に、チャックスリーブ１１２のチャックボール押さえ部１２２に接触可能である。
チャックスリーブ１１２を、チャックスプリング１１４の弾性力を受けつつ前に引くと、チャックボール押さえ部１２２が各チャックボール１１８から離れて、各チャックボール１１８が径方向外側に大きく移動可能になり、ビット挿入時に各チャックボール１１８アンビル穴１１０内から退いて、ビットがアンビル穴１１０に挿入可能となり、ビットがを取り付け可能となる。そして、ビットの後部を入れた状態で、チャックスリーブ１１２を後方に戻すと、チャックボール押さえ部１２２が各チャックボール１１８に接触して各チャックボール１１８を内方に押し、ビットを押さえてアンビル１７に対して固定する。
【００２１】
そして、トリガ８の上側であって、正逆切替レバー２８の前方には、前方を照射可能なライトユニット１３０が設けられている。
図６や図７にも示されるライトユニット１３０は、ライト基板１３２と、光源（発光体）としてのライト１３４，１３４を備えている。
ライト基板１３２は、円弧に沿う帯状の形状を有しており、本体部４の下部の外郭に沿う形状を有している。即ち、ライト基板１３２は、円弧状の辺Ｒを有しており、その円弧状の辺Ｒが釣鐘状のハンマケース２１の下部外形に沿うように配置されている。
ライト基板１３２は、中央部の下辺部において、他の下辺部より上方へ窪む凹部１３６を有している。
各ライト１３４は、ここではＬＥＤであり、ライト基板１３２の前面の端部から前方へ突出するように配置されている。
ライトユニット１３０は、ライト１３４，１３４の前部が露出する状態で、左モータハウジング１８及び右モータハウジング１９における本体部４の下部内に入れられており、各ライト１３４は、ハンマケース２１の上下方向の幅Ｗ内に入るように配置されており、更にハンマケース２１の左右方向の幅Ｗ２内に入るように配置されている（図５参照）。換言すれば、各ライト１３４は、ハンマケース２１の略円形における上下方向の最大幅Ｗ内に入るように配置されており、更にハンマケース２１の略円形における左右方向の最大幅Ｗ２内に入るように配置されている。
又、ライトユニット１３０は、前後方向において左モータハウジング１８及び右モータハウジング１９とハンマケース２１とがオーバーラップする部分に配置されており、各ライト１３４は、ハンマケース２１の外側に配置されている。ライトユニット１３０の全体は、左モータハウジング１８及び右モータハウジング１９に設けられており、各ライト１３４の全体は、左モータハウジング１８及び右モータハウジング１９に設けられている。
ライトユニット１３０のライト１３４，１３４は、図示されないリード線によって、ライト基板１３２を介して、コントローラ３３と接続されている。
【００２２】
図８には、インパクトドライバ１の制御手段の主要な構成が示される。
コントローラ３３は、各種の要素を制御する制御部１４０を備えている。
制御部１４０は、スイッチ本体部９と接続されており、モータ１１や、ライト１３４，１３４を制御する。
又、制御部１４０は、操作パネル３２を制御する。
操作パネル３２は、入力部としての操作部１４２と、受光部１４４と、表示部１４６を備えている。
操作部１４２は、使用者の操作（入力）を受け付ける手段であり、ここではモード切替ボタンと入力ボタンである。
受光部１４４は、外部からの光の受光によって信号を発信可能な手段であり、ここでは受光強度に応じた信号を発信する光センサ（照度センサ，輝度センサ）である。
表示部１４６は、操作部１４２における操作状況や、バッテリ残量、打撃力の段階等を表示可能な手段であり、ここでは、７セグメントＬＥＤである。
【００２３】
制御部１４０は、操作部１４２のモード切替ボタンに対する入力を受け付けると、モードを切替える。モードとしては、バッテリ残量表示モード、環境追従照明モード、常時オフ照明モード、照明明度切替モード、特定時間照明モードが設けられている。尚、制御部１４０は、モード切替時、表示部１４６において（所定時間に亘り）モード（に対応する記号）を表示しても良い。
制御部１４０は、バッテリ残量表示モードでは、表示部１４６において、バッテリ残量（の段階に応じた数字）を表示する。
【００２４】
制御部１４０は、ライト１３４，１３４に対しＰＷＭ（Ｐｕｌｓｅ  Ｗｉｄｔｈ  Ｍｏｄｕｌａｔｉｏｎ）制御を行うことで、ライト１３４，１３４の明るさを任意に変更可能である。以下では、制御部１４０は、ライト１３４，１３４を同じ明るさないし点灯状態とするが、左のライト１３４と右のライト１３４で異なる明るさないし点灯状態となるように制御しても良い。
制御部１４０は、モードが環境追従照明モードである場合、スイッチ本体部９の切替状態がオンである間、受光部１４４における受光強度（を示す信号の状態）に応じた明るさでライト１３４を点灯する。即ち、受光強度が弱いほど（暗い環境であるほど）、ライト１３４を明るくし、受光強度が強いほど（明るい環境であるほど）、ライト１３４，１３４を暗くする。尚、制御部１４０は、受光強度が所定しきい値以上であると、ライト１３４，１３４をオフにしても良い。又、明るさの変更は、受光強度に比例するように行われても良いし、受光強度に係る任意の関数に従って行われても良いし、段階的に行われても良い。更に、このモードにおいても残照するようにして良く、残照時間が特定時間照明モードで設定された特定時間となるようにしても良い。
又、制御部１４０は、モードが常時オフ照明モードである場合、スイッチ本体部９の切替状態や受光部１４４の受光強度にかかわらず、ライト１３４，１３４を消灯する。
更に、制御部１４０は、モードが照明明度切替モードである場合、入力ボタンへの入力がある度に、ライト１３４，１３４の明るさの段階を例えば最弱、弱、中、強、最強といったように切替え、現在の明るさの段階においてライト１３４，１３４を点灯する。尚、制御部１４０は、入力ボタンへの入力時間に応じてライト１３４，１３４の明るさを変更する（入力時間が長いほど明るくなり、最大明度になると最低明度に戻って繰り返す）ことを始めとして、種々の明度切替手法が採用されても良い。
又更に、制御部１４０は、モードが特定時間照明モードである場合、入力ボタンへの入力がある度に、スイッチ本体部９がオフとなった後におけるライト１３４，１３４の残照の時間である特定時間の段階を、例えば最短、短、中、長、最長といったように切替え、スイッチ本体部９がオフとなった後、設定されている特定時間に亘りライト１３４，１３４を点灯する。操作部１４２の入力ボタンは、当該特定時間の変更に係る入力を受け付ける。尚、特定時間として、（電源が保持される限り）常時、即ち（可及的）連続時間が採用されても良い。又、照明明度切替モードのように、特定時間の切替手法として様々なものが採用可能である。更に、特定時間照明モードにおいて、照明明度切替モードで設定された明度でライト１３４，１３４が点灯するようにしても良い。特定時間や明度は、表示部１４６において表示されるようにしても良い。
制御部１４０は、ライト１３４，１３４の明るさを変更するライト明度制御部の役割と、特定時間に亘りライト１３４，１３４の点灯を維持するライト時間制御部の役割を兼ねている。
【００２５】
尚、制御部１４０は、受光部１４４の受光強度に応じ、表示部１４６の明るさを変化させても良い。例えば、ライト１３４，１３４の場合と正反対とし、即ち受光強度が弱いほど（暗い環境であるほど）、表示部１４６を暗くし、受光強度が強いほど（明るい環境であるほど）、表示部１４６を明るくしても良い。
又、制御部１４０は、誤入力防止のため、どのモードであっても、所定時間経過後に、入力受付のないモード（バッテリ残量表示モード等）に移行するようにしても良い。同様に、制御部１４０は、電源オフ時のモードがどのモードであっても、電源オン時に（初期モードとして）入力受付のないモードとなるようにしても良い。又、モードの組合せは様々に変更することができ、例えば打撃力操作モードを追加することができる。制御部１４０は、打撃力操作モードでは、表示部１４６において、現在の打撃力（の段階に応じた数字）を表示し、操作部１４２の入力ボタンに対する入力があると、打撃力を一段階変えるようにして良い。又、打撃力の段階には、打撃力ゼロ（打撃なし）が含まれて良い。
更に、制御部１４０は、特定時間照明モードにおいて、使用者による操作部１４２への入力に代えて、あるいはその入力と共に、所定条件を満たした場合に発生する信号の入力に基づいて、残照に係る特定時間が変更されても良い。例えば、制御部１４０は、所定明度以下の暗所であることを光センサからの明度信号の入力により把握し、そのような暗所である場合に、特定時間をそのような暗所でないときより長く変更するようにされても良い。又、所定明度が複数段階設定されるようにして、特定時間の変更が複数段階においてなされるように構成されても良い。あるいは、使用者からの入力により特定時間が変更されるモードと、光センサ等（上記所定条件に係るセンサ）からの入力により特定時間が変更されるモードが、別個に設けられても良い。
【００２６】
このようなインパクトドライバ１の動作例を説明する。
使用者がグリップ部６を把持してトリガ８を引くと、スイッチ本体部９における切替によりバッテリ３１からモータ１１への給電がなされる。よって、トリガ８は、スイッチ本体部９を介してモータ１１のオンオフを切替えるものであり、モータ１１のオンオフを操作するスイッチ操作部であって、トリガ８とスイッチ本体部９はモータ１１のスイッチを構成する。
センサ基板５２の磁気センサにより把握されたロータ４２の回転位置に応じ、コントローラ３３のスイッチング素子が各駆動コイルのスイッチングを行って、ロータ４２（モータ軸５６）が回転する。
モータ軸５６の回転により、ファン１０が回転して排気口２４，２４・・から空気が排気され、吸気口２５，２５・・から排気口２４への空気の流れが形成される。空気の流れによって、モータ１１を始めとするインパクトドライバ１の内部機構が冷却される。
更に、モータ軸６２の回転力は、遊星歯車機構１２により減速されてスピンドル１３に伝わり、スピンドル１３の回転力は、ハンマ１６を介してアンビル１７に伝わる。
又、スピンドル１３は、アンビル１７において所定閾値以上のトルクを受けた場合に、ハンマ１６を前後に揺動（打撃）するように案内する。打撃時において、スプリング１４は、その弾性力によりハンマ１６を各打撃毎に復帰させる。
【００２７】
又、制御部１４０は、操作部１４２のモード切替ボタンに対する入力を受け付けると、モードを切替える。
制御部１４０は、バッテリ残量表示モードでは、スイッチ本体部９がオンとなった直後からオフとなった後所定時間が経過するまで、表示部１４６において、バッテリ残量を表示する。
更に、制御部１４０は、環境追従照明モードでは、スイッチ本体部９の切替状態がオンである間、受光部１４４における受光強度に応じた明るさでライト１３４を点灯する。
又、制御部１４０は、常時オフ照明モードでは、スイッチ本体部９の切替状態や受光部１４４の受光強度にかかわらず、ライト１３４を消灯する。
更に、制御部１４０は、照明明度切替モードでは、操作部１４２における入力ボタンの操作に応じた明度でライト１３４を点灯する。
又更に、制御部１４０は、特定時間照明モードでは、操作部１４２における入力ボタンの操作に応じた特定時間に亘りライト１３４を残照する。
【００２８】
以上のインパクトドライバ１は、モータ１１と、モータ１１が配置される左モータハウジング１８及び右モータハウジング１９と、モータ１１の動力をアンビル１７に伝達する遊星歯車機構１２ないしスピンドル１３と、遊星歯車機構１２ないしスピンドル１３が配置されるハンマケース２１と、光を照射するライト１３４，１３４を備えており、ライト１３４，１３４は、左モータハウジング１８及び右モータハウジング１９に設けられており、ハンマケース２１の上下方向の幅Ｗ内に配置されている。従って、ライト１３４，１３４によって作業箇所（ビット付近）を明るくすることができ、又上下方向の長さを短くすることができてインパクトドライバ１がコンパクトで取り扱い易いものとなる。
又、ライト１３４，１３４は、ハンマケース２１の左右方向の幅Ｗ２内に配置されている。従って、左右方向の長さを短くすることができて、インパクトドライバ１が、左右方向においてコンパクトで、取り扱い易いものとなる。
更に、ライト１３４，１３４は、ハンマケース２１の外側に配置されている。従って、前後方向の長さを短くすることができて、インパクトドライバ１が、前後方向においてコンパクトで、取り扱い易いものとなる。
又更に、各ライト１３４は、ライト基板１３２に搭載されており、ライト基板１３２は、円弧状の辺Ｒを有しており、その円弧状の辺Ｒがハンマケース２１に沿うように配置されている。従って、ライト１３４，１３４は、ハンマケース２１に沿う位置に配置され、ハンマケース２１に接近設置可能でコンパクト化可能に配置される。
加えて、ライト１３４，１３４は、ハンマケース２１の左下及び右下に配置されている。よって、ライト１３４，１３４は、ハンマケース２１に接近設置可能でコンパクト化可能に配置される。又、光源が複数箇所となるため、作業箇所をより明るく照らすことが可能となり、又一部の光源が遮られても他の光源で照明可能となるし、複数の光源が（左右方向において，上下方向を軸として）対称的に配置されることとなり、ムラの発生が抑制される。
【００２９】
又、インパクトドライバ１は、受光強度に応じた信号を発信する受光部１４４と、光を照射するライト１３４，１３４と、受光部１４４から受信した前記信号に基づいて、ライト１３４，１３４の明るさを変更する制御部１４０（ライト明度制御部）を備えている。従って、環境に応じた明るさの照明を提供することができ、暗所用の明るさで常に点灯するライトに比べて明所における消費電力を抑えることができる。
更に、インパクトドライバ１は、モータ１１と、モータ１１のオンオフを切替えるトリガ８ないしスイッチ本体部９と、トリガ８ないしスイッチ本体部９のオンへの切替えに基づいて光を照射するライト１３４，１３４と、トリガ８ないしスイッチ本体部９がオフとなった後特定時間に亘りライト１３４，１３４の点灯を維持する制御部１４０（ライト時間制御部）と、前記特定時間の変更に係る入力を受け付ける操作部１４２とを備えている。従って、使用者の想定する時間に亘り、モータ１１を作動させず、ライト１３４，１３４のみを点灯させることができ、照明代わりになる等、暗所作業が行い易い。
加えて、ライト１３４，１３４はＬＥＤであるから、省エネルギーで明るい照明を提供することができる。
【００３０】
尚、本発明の形態は上記第１形態に限定されず、例えば第１形態に対して次のような変更を適宜施すことができる。
明るさの段階や特定時間の段階は、増減することができる。
少なくとも何れか一つのモードが省略されても良く、更に別のモードが追加されても良い。例えば、左のライトのみ（複数のライトの一部のみ）点灯する状態と、右のライトのみ（複数のライトの別の一部のみ）点灯する状態と、全部のライトが点灯する状態と、全部のライトが消灯する状態の群より二以上の状態が選択される何れかの状態に切替えるモードが追加されても良い。
操作部は、タッチパネルを始めとする他の形式のものとされても良い。
特定のモードや特定の入力を行う専用の入力手段（専用ボタン等）が設置されても良い。例えば、入力によりライトが常時最大明度で点灯し、更なる入力により消灯するボタンが設けられても良い。
特定時間照明モードにおいて、受光部から受信した受光強度に応じた明るさでライトが点灯するようにしても良い。
モータを制御するモータ制御部とライトを制御するライト制御部をハードウェア上で分けても良いし、ライト制御部をライト明度制御部とライト時間制御部にハードウェア上で分けても良い。
受光部や表示部は、操作パネル外に配置されても良い。
【００３１】
遊星歯車機構に関し、ピンをキャリアへ挿入することに代えて、あるいはこれと共に、突起の孔への挿入や、爪同士の係止等として良い。又、ピンを挿入する孔は、有底の穴とされても良い。
遊星歯車機構は、他の減速機構に変更されても良いし、省略されても良い。
モータは、ステータの外側にロータが配置されたアウターロータ型のものであっても良い。又、モータはブラシレスモータ以外のモータであっても良い。６個のスイッチング素子はコントローラではなくセンサ基板上に配置しても良い。又、スイッチング素子や駆動コイル、センサ用永久磁石や磁気センサ等の数は、適宜増減することができる。センサ基板は、前絶縁部材の前方に配置させた状態で、前絶縁部材にネジ止めすることも可能である。
モータ軸とアンビルの間に１又は２以上の中間軸が介装されても良い。
【００３２】
バッテリは、１０．８Ｖ、１８Ｖ（最大２０Ｖ），１８Ｖ，２５．２Ｖ，２８Ｖ，３６Ｖ等の任意のリチウムイオンバッテリを用いても良いし、１０．８Ｖ未満あるいは３６Ｖを超える電圧のリチウムイオンバッテリを用いても良いし、他の種類のバッテリを用いても良い。
ハウジングの区分の数や遊星歯車の設置数、増速機構の段数や吸排気口の数を増減したり、スイッチの形式をトリガ形式以外に変更したりする等、各種部材の数や配置、材質、大きさ、形式等を適宜変更することができる。
ギヤケースを採用し、ハンマ及びアンビルを省略して、更に例えば２段階の遊星歯車機構等の減速機構部を配置して、減速機構部の出力軸をギヤケースから前方へ突出させて、先端工具を保持する先端工具保持部を出力軸の前部に固定することにより、充電式のドライバドリル又は振動ドライバドリルとすることも可能である。
又、出力軸（先端工具保持部）の方向が軸方向（モータのモータ軸の方向やその回転力を伝達する機構の伝達方向）と異なる（略９０度となる）充電式アングル電動工具にも、本発明を適用することができる。
更に、インパクトレンチ、スクリュードライバ、ハンマドリル、レシプロソーや、他の充電式の電動工具、商用電源に接続する電動工具、又はクリーナ、ブロワ、あるいは園芸用トリマをはじめとする園芸工具等に、本発明を適用することができる。
【００３３】
［第２形態］
図９は本発明の第２形態に係るインパクトドライバ２０１の右側面図であり、図１０はインパクトドライバ２０１の前面図であり、図１１はインパクトドライバ２０１の中央縦断面図の上部拡大図である。
インパクトドライバ２０１は、ライトユニットやトリガ周辺の構成を除いて第１形態のインパクトドライバ１と同様に成る。以下、同様の構成要素については、第１形態と同じ符号が付され、適宜説明が省略される。
【００３４】
インパクトドライバ２０１のライトユニット２０２は、本体部４の前下部ではなく、トリガ８の前方に配置されている。
インパクトドライバ２０１の左モータハウジング２１８は、トリガ８の前方を囲む左トリガガード２０４を有しており、右モータハウジング２１９は、トリガ８の前方を囲む右トリガガード２０６を有している。左トリガガード２０４と右トリガガード２０６が合わさって、トリガ８を操作可能に保護するスイッチ隣接部（トリガ隣接部）としてのトリガガード２０８が形成される。
ライトユニット２０２は、ＬＥＤであるライト２１０と、ライト２１０が搭載される小基板２１２を備えている。ライト２１０の発光する前部は、トリガガード２０８（前面下部）から露出しており、ライト２１０の後部と小基板２１２は、トリガガード２０８内に入れられている。ライト２１０は、前方からみて、トリガ８の上下方向の幅内に配置されており、更に左右方向の幅内に配置されている。より詳しくは、ライト２１０は、前方からみて、トリガ８の上下方向の最大幅内に配置されており、更に左右方向の最大幅内に配置されている。又、ライトユニット２０２の全体は、左モータハウジング２１８，右モータハウジング２１９の左トリガガード２０４，右トリガガード２０６に設けられており、各ライト２１０の全体は、左モータハウジング１８，右モータハウジング１９の左トリガガード２０４，右トリガガード２０６に設けられている。
ライト２１０の図示されないリード線は、トリガガード２０８内においてトリガガード２０８に沿うように配置されている。
ライト２１０は、制御部１４０により制御される。
【００３５】
以上のインパクトドライバ２０１は、モータ１１と、モータ１１のオンオフを切替えるトリガ８ないしスイッチ本体部９と、トリガ８に隣接して配置されるトリガガード２０８と、光を照射するライト２１０を備えており、ライト２１０は、トリガガード２０８に配置されている。従って、トリガ８を保護しながら、上下方向の長さを増すことなくライト２１０を設置することができる。
又、インパクトドライバ２０１は、モータ１１と、モータ１１のオンオフを切替えるトリガ８ないしスイッチ本体部９と、光を照射するライト２１０を備えており、ライト２１０は、トリガ８（及びスイッチ本体部９）の上下方向の幅内に配置されている。従って、ライト２１０の設置により照明可能としながら、インパクトドライバ２０１の上下方向の大きさを小さくすることができる。
更に、インパクトドライバ２０１は、モータ１１と、モータ１１のオンオフを切替えるトリガ８ないしスイッチ本体部９と、光を照射するライト２１０を備えており、ライト２１０は、トリガ８（及びスイッチ本体部９）の左右方向の幅内に配置されている。従って、ライト２１０の設置により照明可能としながら、インパクトドライバ２０１の左右方向の大きさを小さくすることができる。
【００３６】
尚、上記第２形態は、第１形態と同様の変更例を適宜有する。
又、トリガやスイッチ本体部の上下方向や左右方向の幅外における、トリガガードの部分にライトが設置されても良い。
更に、トリガを保護しないトリガ隣接部が配置されるようにし、そのトリガ隣接部にライトが設置されても良い。この場合、トリガ保護機能は発揮されないが、インパクトドライバのコンパクト化は図られる。例えば、トリガを囲まずトリガ周辺のハウジング部分からトリガ隣接位置に向かって突出するトリガ隣接部が形成され、そのトリガ隣接部にライトが設けられても良い。
【００３７】
［第３形態］
図１２は、本発明の第３形態に係るインパクトドライバ３０１の前面図であり、図１３は、インパクトドライバ３０１の中央縦断面図の上部拡大図であり、図１４は、インパクトドライバ３０１におけるトリガ３０８付近の中央縦断面拡大図である。
インパクトドライバ３０１は、ライトユニットやトリガを除いて第１形態や第２形態のインパクトドライバ１，２０１と同様に成る。以下、同様の構成要素については、第１形態や第２形態と同じ符号が付され、適宜説明が省略される。
【００３８】
インパクトドライバ３０１のライトユニット３０２は、本体部４の前下部やトリガカバーではなく、トリガ３０８に配置されている。
トリガ３０８は、上部に孔３０４を有している。
ライトユニット３０２は、ライト（ＬＥＤ）のみから成り、前部が孔３０４から露出する状態で、トリガ３０８に埋め込まれている。ライトユニット３０２（ライト）は、トリガ３０８の上下方向や左右方向の幅内に配置されており、より詳しくはトリガ３０８の上下方向や左右方向の各最大幅内に配置されている。又、ライトユニット３０２は、前後方向においてトリガ３０８とオーバーラップしている。
ライトユニット３０２の図示されないリード線は、トリガ３０８やスイッチ本体部９の作動を妨げない状態で取り回されている。
ライトユニット３０２は、制御部１４０により制御される。
【００３９】
このようなインパクトドライバ３０１は、モータ１１と、モータ１１のオンオフを切替えるトリガ３０８ないしスイッチ本体部９と、光を照射するライトユニット３０２を備えており、ライトユニット３０２は、トリガ３０８（及びスイッチ本体部９）の上下方向の幅内に配置されている。従って、ライトユニット３０２の設置により照明可能としながら、インパクトドライバ２０１の上下方向の大きさを小さくすることができる。
又、ライトユニット３０２は、前後方向においてトリガ３０８とオーバーラップしているから、前後方向でみてトリガとライトユニット３０２がずれないようになり、インパクトドライバ３０１が前後方向においてコンパクトとなる。
【００４０】
尚、上記第３形態は、第１形態や第２形態と同様の変更例を適宜有する。
又、ライトは、トリガの下部に配置されても良く、コーナー部に配置されても良い。ライトは、トリガ内に複数配置されても良いし、トリガ内外で複数配置されても良い。
【００４１】
［第４形態］
図１５は、本発明の第４形態に係るインパクトドライバ４０１の前面図であり、図１６は、図１５の中央縦断面上部拡大図であり、図１７は、インパクトドライバ４０１における本体部前下部付近の中央縦断面拡大図である。
インパクトドライバ４０１は、ライトユニットやバンパを除いて第１形態ないし第３形態のインパクトドライバ１，２０１，３０１と同様に成る。以下、同様の構成要素については、第１形態ないし第３形態と同じ符号が付され、適宜説明が省略される。
【００４２】
インパクトドライバ４０１のライトユニット４０２は、第１形態と同様に、本体部４の前下部に配置されており、第１形態のように本体部４前下部に沿うように配置されてライトを左右に有するように配置されず、本体部４前下部の中央に配置されている。
インパクトドライバ４０１のバンパ４２７の下部中央は、（第１形態ないし第３形態のバンパと比べて）下方に膨出するように形成されており、その膨出部４０３には、凹部４０４が形成されている。
ライトユニット４０２は、ＬＥＤであるライト４１０と、ライト４１０が搭載される小基板４１２と、ライト４１０を覆うカバー４１４を有する。ライト４１０及び小基板４１２、並びにカバー４１４の前端部以外は、バンパ４２７の凹部４０４内に配置されている。カバー４１４は、透光性を有する。
ライト４１０は、ハンマケース２１の上下方向の幅Ｗ内に配置されており、ハンマケース２１の左右方向の幅Ｗ２内に配置されている。換言すれば、ライト４１０は、ハンマケース２１の略円形における上下方向の最大幅Ｗ内に入るように配置されており、更にハンマケース２１の略円形における左右方向の最大幅Ｗ２内に入るように配置されている。ライト４１０は、ハンマケース２１の外側に配置されている。
ライト４１０の図示されないリード線は、左モータハウジング１８と右モータハウジング１９の間を通るように取り回される。
ライト４１０は、制御部１４０により制御される。
【００４３】
以上のインパクトドライバ４０１は、モータ１１と、モータ１１の動力をアンビル１７に伝達する遊星歯車機構１２ないしスピンドル１３と、遊星歯車機構１２ないしスピンドル１３が配置されるハンマケース２１と、ハンマケース２１に装着されるバンパ４２７と、光を照射するライト４１０を備えており、ライト４１０は、バンパ４２７に設けられており、ハンマケース２１の上下方向の幅Ｗ内に配置されている。従って、ライト４１０によって作業箇所を明るくすることができ、又上下方向の長さを短くすることができてインパクトドライバ４０１がコンパクトで取り扱い易いものとなる。
又、ライト４１０は、ハンマケース２１の左右方向の幅Ｗ２内に配置されている。従って、左右方向の長さを短くすることができて、インパクトドライバ４０１がコンパクトで取り扱い易いものとなる。
更に、ライト４１０は、ハンマケース２１の外側に配置されている。従って、前後方向の長さを短くすることができて、インパクトドライバ４０１がコンパクトで取り扱い易いものとなる。
【００４４】
尚、上記第４形態は、第１形態ないし第３形態と同様の変更例を適宜有する。
例えば、バンパの膨出部が（左下と右下等において）複数設けられ、各膨出部にライトが配置されても良い。
【００４５】
［第５形態］
図１８は、本発明の第５形態に係るインパクトドライバ５０１の前面図であり、図１９は、図１８の中央縦断面上部拡大図であり、図２０は、図１８の本体部中央横断面図であり、図２１は、図１８の上部拡大図である。
インパクトドライバ５０１は、ライトユニットやその周辺の構成を除いて第１形態ないし第４形態のインパクトドライバ１，２０１，３０１，４０１と同様に成る。以下、同様の構成要素については、第１形態ないし第４形態と同じ符号が付され、適宜説明が省略される。尚、インパクトドライバ５０１は、カバー２６が設けられておらず、ハンマケース２１の上部ないし側部が露出している。又、リヤカバー２０は、ネジ５２３，５２３により止められている（図２０）。
【００４６】
インパクトドライバ５０１のライトユニット５０２は、本体部４の前中央部の左右と、本体部４の前下部に配置されている。
インパクトドライバ５０１の左モータハウジング５１８における本体部４左部の前端部には、側方に膨らむ左膨出部５０４が形成されており、右モータハウジング５１９における本体部４右部の前端部には、側方に膨らむ右膨出部５０６が形成されている。
又、左モータハウジング５１８における本体部４下部の前端部には、前面視コ字状でありその内方において本体部４下部にスペースを確保する左ライト保持部５１０が形成されており、右モータハウジング５１９における本体部４下部の前端部には、前面視逆コ字状でありその内方において本体部４下部にスペースを確保する右ライト保持部５１２が形成されている。左ライト保持部５１０と右ライト保持部５１２により、本体部４下部において前方へ開口するライト保持部５１４が構成される。
ライト保持部５１４の後方に、正逆切替レバー２８が配置されており、ライト保持部５１４と正逆切替レバー２８は、上下方向においてオーバーラップしている。
【００４７】
ライトユニット５０２は、ＬＥＤであるライト５３０，５３０と、各ライト５３０が搭載される小基板５３２を有する。ライト５３０，５３０の前部は、左膨出部５０４，右膨出部５０６から露出するように配置されており、ライト５３０，５３０の後部と小基板５３２，５３２は、左膨出部５０４，右膨出部５０６内に入れられている。ライトユニット５０２のうち各ライト５３０，各小基板５３２の全体は、左モータハウジング５１８，右モータハウジング５１９（左膨出部５０４，右膨出部５０６）に設けられており、各ライト５３０の全体は、左モータハウジング１８，右モータハウジング１９（左膨出部５０４，右膨出部５０６）に設けられている。
ライトユニット５０２は、更に、ＬＥＤであるライト５４０と、ライト５４０が搭載される小基板５４２と、ライト５４０を覆うカバー５４４を有する。ライト５４０及び小基板５４２、並びにカバー５４４は、ライト保持部５１４内に配置されている。カバー５４４は、透光性を有する。ライト５３０，５３０，５４０は、ハンマケース２１の外側に配置されている。
ライト５３０，５３０，５４０の図示されないリード線は、左モータハウジング１８と右モータハウジング１９の間を通るようにそれぞれ取り回される。
ライト５３０，５３０は、ハンマケース２１の上下方向の幅Ｗ内に配置されている。より詳しくは、ライト５３０，５３０は、ハンマケース２１の略円形における上下方向の最大幅Ｗ内に入るように配置されている。
ライト５３０，５３０，５４０は、制御部１４０により制御される。
【００４８】
以上のインパクトドライバ５０１は、モータ１１と、モータ１１が配置される左モータハウジング５１８及び右モータハウジング５１９と、モータ１１の動力をアンビル１７に伝達する遊星歯車機構１２ないしスピンドル１３と、遊星歯車機構１２ないしスピンドル１３を配置するハンマケース２１と、光を照射するライト５３０，５３０，５４０を備えており、ライト５３０，５３０，５４０は、左モータハウジング１８及び右モータハウジング１９に設けられており、ハンマケース２１の上下方向の幅Ｗ内に配置されている。従って、複数のライト５３０，５３０，５４０によって作業箇所を極めて明るくすることができ、又上下方向の長さを短くすることができてインパクトドライバ５０１がコンパクトで取り扱い易いものとなる。
更に、ライト５３０，５３０，５４０は、ハンマケース２１の外側に配置されている。従って、前後方向の長さを短くすることができて、インパクトドライバ５０１がコンパクトで取り扱い易いものとなる。
【００４９】
尚、上記第５形態は、第１形態ないし第４形態と同様の変更例を適宜有する。
例えば、下部のライトが省略されても良いし、更に本体部の上部にライトが配置されても良い。
【符号の説明】
【００５０】
１，２０１，３０１，４０１，５０１・・インパクトドライバ（電動工具）、８，３０８・・トリガ（スイッチ）、９・・スイッチ本体部（スイッチ）、１１・・モータ、１２・・遊星歯車機構（動力伝達機構）、１３・・スピンドル（動力伝達機構）、１７・・アンビル（出力軸）、１８，２１８，５１８・・左モータハウジング、１９，２１９，５１９・・右モータハウジング、２１・・ハンマケース（ケース）、２７，４２７・・バンパ、１３４，２１０，４１０，５３０，５４０・・ライト、１４０・・制御部（ライト明度制御部，ライト時間制御部）、１４２・・操作部（入力部）、１４４・・受光部（光センサ）、２０８・・トリガガード（スイッチ隣接部）、３０２・・ライトユニット（ライト）、Ｒ・・円弧状の辺、Ｗ・・（ケースの）幅（上下方向）、Ｗ２・・（ケースの）幅（左右方向）。
【図１】
2017209760.tif 000003
【図２】
2017209760.tif 000004
【図３】
2017209760.tif 000005
【図４】
2017209760.tif 000006
【図５】
2017209760.tif 000007
【図６】
2017209760.tif 000008
【図７】
2017209760.tif 000009
【図８】
2017209760.tif 000010
【図９】
2017209760.tif 000011
【図１０】
2017209760.tif 000012
【図１１】
2017209760.tif 000013
【図１２】
2017209760.tif 000014
【図１３】
2017209760.tif 000015
【図１４】
2017209760.tif 000016
【図１５】
2017209760.tif 000017
【図１６】
2017209760.tif 000018
【図１７】
2017209760.tif 000019
【図１８】
2017209760.tif 000020
【図１９】
2017209760.tif 000021
【図２０】
2017209760.tif 000022
【図２１】
2017209760.tif 000023